(57)【要約】【課題】本発明は、調理スペース、喫煙スペース、動物飼育室などで発生する汚染空気を誘引して室外に排気する排気誘引装置に係り、排気誘引装置の吹出口にその一部を塞ぐ閉塞部を設けて汚染空気に対する誘引作用を増大させるようにしたものである。【解決手段】ファンを内装すると共に吸込口と上向きに開口する横長の吹出口とを備えたケーシングと、吹出口から吹出した空気流を面状部のコアンダ効果により上方に導く空気流誘導部材とを備え、室内の汚染空気を吹出口から吹出した空気流に誘引させて上方に導き、排気装置により室外に排気するようにした排気誘引装置を汚染空気を排出する機器の近傍に設け、吹出口には左右方向の中間に吹出口の一部を塞ぐ閉塞部を設けて汚染空気に対する誘引作用を増大させることにより、汚染空気の室外への排気性能を向上させた。【選択図】図２
2007298222.tif 000002
【特許請求の範囲】
【請求項１】
吹出口と、吹出口から吹出した空気流を面状部のコアンダ効果により排気装置の排気口に導く空気流誘導部材とを備え、室内の汚染空気を吹出口から吹出した空気流に誘引させて排気口に導き、排気装置により室外に排気するようにした排気誘引装置であって、吹出口には吹出口の長手方向の一部を塞ぐ閉塞部を設けて汚染空気に対する誘引作用を増大させたことを特徴とする排気誘引装置。
【請求項２】
ファンを内装すると共に吸込口と上向きに開口する横長の吹出口とを備えたケーシングと、吹出口から吹出した空気流を面状部のコアンダ効果により上方に導く空気流誘導部材とを備え、室内の汚染空気を吹出口から吹出した空気流に誘引させて上方に導き、排気装置により室外に排気するようにした排気誘引装置を汚染空気を排出する機器の近傍に設け、吹出口には左右方向の中間に吹出口の一部を塞ぐ閉塞部を設けて汚染空気に対する誘引作用を増大させたことを特徴とする排気誘引装置。
【請求項３】
吹出口が長方形で長手方向が短方向の８倍から２０倍で、閉塞部が長手方向の２０％から４０％であることを特徴とする請求項１又は２に記載の排気誘引装置。
【請求項４】
空気流誘導部材から突出する一対のガイド部材を吹出口から下流側に向けて設けると共に、一対のガイド部材の幅を吹出口から下流側に向けて先細状に形成したことを特徴とする請求項２又は３に記載の排気誘引装置。
【請求項５】
ファンを内装すると共に吸込口と上向きに開口する環状の吹出口とを備えたケーシングと、吹出口から吹出した空気流を面状部のコアンダ効果により上方に導く筒状の空気流誘導部材とを備え、室内の汚染空気を吹出口から吹出した空気流に誘引させて上方に導き、排気装置により室外に排気するようにした排気誘引装置であって、環状の吹出口には吹出口の一部を塞ぐ閉塞部を複数設けて汚染空気に対する誘引作用を増大させたことを特徴とする排気誘引装置。
【請求項６】
吹出口を円環状とし、空気流誘導部材を円筒状とし、閉塞部の数を３から１０とし、吹出口の円環状の半径方向寸法を円環状外側半径の１０％から６０％とし、閉塞部と開口部との円周方向寸法の比を２対１から１対２としたことを特徴とする請求項５に記載の排気誘引装置。
【発明の詳細な説明】
【技術分野】
【０００１】
本発明は、調理スペース、喫煙スペース、動物飼育室などで発生する汚染水蒸気、油煙、煙、悪臭などを含む汚染空気を誘引して排気装置の排気口に導くための排気誘引装置に係り、特に吹出口には吹出口の一部を塞ぐ閉塞部を設けて汚染空気に対する誘引作用を増大させるようにした排気誘引装置に関するものである。
【背景技術】
【０００２】
従来、図１１及び図１２に示す調理スペースに設置した局所換気装置が知られている（例えば、特許文献１参照）。図１１は正面図、図１２は図１１のＹ線断面図である。この局所換気装置は、３つの誘導気流発生装置１０１の吹出ノズル１０２にガイド板１０３がそれぞれ設けられている。
ガイド板１０３は、各吹出ノズル１０２の吹出開口１０４から吸込排気流発生部１０５の各吸込開口１０６に向けてそれぞれ延びて設けられ、吹出ノズル１０２の吹出開口１０４から吹出される吹出誘導気流１０７を吸込開口１０６の内部に誘導するようにしている。
そして、ガスコンロを備えた燃焼加熱式調理機器１０８の調理台１０９の下方中央部に設けられた吹出ファン１１０からの室内空気を誘導気流ダクト１１１により吹出ノズル１０２に導くようにしている。
【０００３】
図１１及び図１２において、１１２は吸込排気流発生部１０５に設けられた排気ファン、１１３は排気ダクト、１１４は排気ボックス、１１５は排気流、１１６は排気フード、１１７は給気ファンで室外空気を吸込み、給気ダクト１１８、給気ボックス１１９を介して給気開口１２０から室内に給気するようにしている。１２１は給気流、１２２は天井である。
【０００４】
また、従来、図１３に示す喫煙スペースに設置した局所換気装置が知られている（例えば、非特許文献１、２参照）。この局所換気装置は、喫煙スペース２０１の床２０２に固定した円筒状のスタンド２０３の上部に４本の小径のパイプ２０４を立設し、パイプ２０４の上方に下部円筒状部２０５と下部円筒状部２０５から先細状となる先細状部２０６と先細状部２０６の上端に連続する上部円筒状部２０７とからなるケーシング２０８を設けて、ケーシング２０８に軸流ファン（図示せず）を設けている。
【０００５】
ケーシング２０８の上方には、上部円筒状部２０７の内径よりも小径の円筒状の空気流誘導部材２０９を設け、空気流誘導部材２０９と上部円筒状部２０７の上端との間に円環状の吹出口２１０を形成している。空気流誘導部材２０９の下端を半球面２１１に形成して軸流ファンから吹出される空気流のガイドとしている。
【０００６】
そして、パイプ２０４，２０４間に形成された吸込口２１２からファンにより吸込まれ、吹出口２１０から吹出される空気流は、コアンダ効果により空気流誘導部材２０９の周面に付着して上方に導かれると共に、空気流誘導部材２０９の周りの喫煙による煙を誘引する。誘引した煙を含む空気流は、天井２１３に設置された排気装置（図示せず）の排気口２１４に吸込まれ、室外に排気される。
【特許文献１】ＷＯ２００４／０７２５５８号  公報
【非特許文献１】平成１７年４月２７日株式会社空調タイムス社発行「空調タイムス」「局所換気で運転ロス最少」
【非特許文献２】平成１７年５月１５日株式会社日本物流新聞社発行「日本物流新聞」「ＡｉｒＮａｖｉ環境計画の分煙システム」
【発明の開示】
【発明が解決しようとする課題】
【０００７】
図１１及び図１２に示す局所換気装置は、調理台１０９の内部に誘導気流発生装置１０１を組込んで誘導気流ダクト１１１を介して吹出ノズル１０２から吹出誘導気流１０７を吹出して、燃焼加熱式調理機器１０８からの排気を誘引して排気フード１１６に導くようにしているが、排気に対する誘引作用を増大する構成を考慮していないという問題があった。
【０００８】
また、図１３に示す局所換気装置は、吹出口２１０から吹出される空気流により、空気流誘導部材２０９の周りの喫煙による煙を誘引して煙を含む空気流を排気口２１４に導くようにしているが、たばこの煙に対する誘引作用を増大する構成を考慮していないという問題があった。
【０００９】
本発明は、このような従来の構成が有していた問題を解決しようとするものであり、室内の汚染空気を吹出口から吹出した空気流に誘引させて室外に排気するようにした排気誘引装置であって、吹出口にはその一部を塞ぐ閉塞部を設けて汚染空気に対する誘引作用を増大させ、汚染空気の室外への排気性能を向上させることを目的としている。
【課題を解決するための手段】
【００１０】
請求項１に係る本発明は、吹出口と、吹出口から吹出した空気流を面状部のコアンダ効果により排気装置の排気口に導く空気流誘導部材とを備え、室内の汚染空気を吹出口から吹出した空気流に誘引させて排気口に導き、排気装置により室外に排気するようにした排気誘引装置であって、吹出口には吹出口の長手方向の一部を塞ぐ閉塞部を設けて汚染空気に対する誘引作用を増大させるようにした排気誘引装置である。
【００１１】
請求項２に係る本発明は、ファンを内装すると共に吸込口と上向きに開口する横長の吹出口とを備えたケーシングと、吹出口から吹出した空気流を面状部のコアンダ効果により上方に導く空気流誘導部材とを備え、室内の汚染空気を吹出口から吹出した空気流に誘引させて上方に導き、排気装置により室外に排気するようにした排気誘引装置を汚染空気を排出する機器の近傍に設け、吹出口には左右方向の中間に吹出口の一部を塞ぐ閉塞部を設けて汚染空気に対する誘引作用を増大させるようにした排気誘引装置である。
【００１２】
請求項３に係る本発明は、請求項１又は２に係る本発明の構成に加え、さらに、吹出口が長方形で長手方向が短方向の８倍から２０倍で、閉塞部が長手方向の２０％から４０％とした排気誘引装置である。
【００１３】
請求項４に係る本発明は、請求項２又は３に係る本発明の構成に加え、さらに、空気流誘導部材から突出する一対のガイド部材を吹出口から下流側に向けて設けると共に、一対のガイド部材の幅を吹出口から下流側に向けて先細状に形成した排気誘引装置である。
【００１４】
請求項５に係る本発明は、ファンを内装すると共に吸込口と上向きに開口する環状の吹出口とを備えたケーシングと、吹出口から吹出した空気流を面状部のコアンダ効果により上方に導く筒状の空気流誘導部材とを備え、室内の汚染空気を吹出口から吹出した空気流に誘引させて上方に導き、排気装置により室外に排気するようにした排気誘引装置であって、環状の吹出口には吹出口の一部を塞ぐ閉塞部を複数設けて汚染空気に対する誘引作用を増大させるようにした排気誘引装置である。
【００１５】
請求項６に係る本発明は、請求項５に係る本発明の構成に加え、さらに、吹出口を円環状とし、空気流誘導部材を円筒状とし、閉塞部の数を３から１０とし、吹出口の円環状の半径方向寸法を円環状外側半径の１０％から６０％とし、閉塞部と開口部との円周方向寸法の比を２対１から１対２とした排気誘引装置である。
【００１６】
本発明による作用を以下に説明する。
本発明の作用は、室内の汚染空気を吹出口から吹出した空気流に誘引させて排気装置により室外に排気するようにした排気誘引装置における吹出口に吹出口の長手方向の一部を塞ぐ閉塞部を設けて汚染空気に対する誘引作用を増大させるようにしたから、閉塞部の近傍に負圧域が形成され、この負圧域により汚染空気の誘引を良好にでき、汚染空気を良好に室外に排気できるのである。
【発明の効果】
【００１７】
請求項１に係る本発明は、室内の汚染空気を吹出口から吹出した空気流に誘引させて排気口に導き、排気装置により室外に排気するようにした排気誘引装置であって、吹出口には吹出口の長手方向の一部を塞ぐ閉塞部を設けて汚染空気に対する誘引作用を増大させるようにしたから、汚染空気を良好に誘引して室外に排気することができるのである。
【００１８】
請求項２に係る本発明は、ファンを内装すると共に吸込口と上向きに開口する横長の吹出口とを備えたケーシングと、吹出口から吹出した空気流を面状部のコアンダ効果により上方に導く空気流誘導部材とを備え、室内の汚染空気を吹出口から吹出した空気流に誘引させて上方に導き、排気装置により室外に排気するようにした排気誘引装置を汚染空気を排出する機器の近傍に設け、吹出口には左右方向の中間に吹出口の一部を塞ぐ閉塞部を設けて汚染空気に対する誘引作用を増大させるようにしたから、簡単な構成の排気誘引装置でありながら、加熱調理器などの汚染空気を排出する機器の近傍に排気誘引装置を設けて発生する汚染水蒸気、油煙、煙などの汚染空気を良好に誘引して上方に導き排気装置より室外に排気することができるのである。
【００１９】
請求項３に係る本発明は、請求項１又は２に係る本発明の効果に加え、吹出口が長方形で長手方向が短方向の８倍から２０倍で、閉塞部が長手方向の２０％から４０％としたので、吹出口及び閉塞部の大きさを誘引作用のより良好な大きさとすることができるのである。
【００２０】
請求項４に係る本発明は、請求項２又は３に係る本発明の効果に加え、空気流誘導部材から突出する一対のガイド部材を吹出口から下流側に向けて設けると共に、一対のガイド部材の幅を吹出口から下流側に向けて先細状に形成したから、汚染空気を含む空気流の拡散を防止して排気装置の排気口に確実に導くことができるのである。
【００２１】
請求項５に係る本発明は、ファンを内装すると共に吸込口と上向きに開口する環状の吹出口とを備えたケーシングと、吹出口から吹出した空気流を面状部のコアンダ効果により上方に導く筒状の空気流誘導部材とを備え、室内の汚染空気を吹出口から吹出した空気流に誘引させて上方に導き、排気装置により室外に排気するようにした排気誘引装置であって、環状の吹出口には吹出口の一部を塞ぐ閉塞部を複数設けて汚染空気に対する誘引作用を増大させたから、喫煙スペースなどで発生する汚染空気を良好に誘引して排気装置の排気口に導き室外に排気することができるのである。
【００２２】
請求項６に係る本発明は、請求項５に係る本発明の効果に加え、吹出口を円環状とし、空気流誘導部材を円筒状とし、閉塞部の数を３から１０とし、吹出口の円環状の半径方向寸法を円環状外側半径の１０％から６０％とし、閉塞部と開口部との円周方向寸法の比を２対１から１対２としたから、吹出口及び閉塞部の大きさを誘引作用のより良好な大きさとすることができるのである。
【発明を実施するための最良の形態】
【００２３】
以下、本発明の実施の形態を添付した図面により詳細に説明する。
図１〜図６は、本発明の第一の実施の形態を示す図面であり、図１は概略を示す側面図、図２は図１における排気誘引装置に係る部分の拡大図、図３は延長壁面板をスライドして収納した状態を示す側面図、図４は図２の排気誘引装置を直立させた図、図５は図４におけるＡ矢視図、図６は図５におけるＢ−Ｂ断面図である。
図７〜図１０は本発明の第二の実施の形態を示す図面である。
【００２４】
図１〜図６に基づき、本発明の第一の実施の形態に係る排気誘引装置について説明する。
図１において、１は、調理スペース、喫煙スペース、動物飼育室などで発生する汚染水蒸気、油煙、煙、悪臭などを含む汚染空気を誘引して排気装置の排気口に導くための排気誘引装置である。
【００２５】
この実施の形態では、排気誘引装置１をＩＨクッキングヒーター３１使用時に発生する汚染水蒸気、油煙などの汚染空気を誘引して上方に導く例を示している。
排気誘引装置１は、ＩＨクッキングヒーター３１の後方の調理台３２の上面に立設している。ＩＨクッキングヒーター３１は調理台３２に組込まれた電磁誘導加熱式の調理器であり、いわゆるビルトインタイプである。
【００２６】
ＩＨクッキングヒーター３１の上方にレンジフード４１が設けられており、レンジフード４１は排気口４２、フィルタ４３、遠心式ファン４４、電動機４５、室外排気フード４６等を備えた排気装置４７と一体に構成している。
なお、図１において、３３はＩＨクッキングヒーター３１の上面に設けられた調理部、４８は建物の壁、４９は建物の床である。
【００２７】
次に、図２〜図６に基づき、第一の実施の形態に係る排気誘引装置１について説明する。排気誘引装置１は、ＩＨクッキングヒーター３１の横幅とほぼ同じ横幅であって下方のケーシング２、ケーシング２の後面に連続する上方の空気流誘導部材３及び延長壁面板２１とから構成し、ＩＨクッキングヒーター３１の後方の調理台３２の上面に水平支持軸４による回動可能な支持手段５を介して適宜の固定手段により固定しており、図２に示すように空気流誘導部材３はその上端が後方斜めに位置するようにやや後方に傾斜させ、延長壁面板２１はその上端が前方斜めに位置するようにやや前方に傾斜させて立設している。
ケーシング２、空気流誘導部材３及び延長壁面板２１は、いずれもステンレススチール製である。
【００２８】
ケーシング２内には、回転軸を水平としたクロスフロー式のファン６及び電動機７を内装しており、ケーシング２の前面側の底面中央部に吸込口８を設け、ケーシング２の上面中央部に吹出口９を設けている。
吹出口９は上向きに開口する長方形で、吹出口９には図５及び図６に示すように長手方向を三等分してその中央部分を塞ぐ閉塞部１０を設け、閉塞部１０はその下方に図５に示すように空気流を左右の吹出口９にガイドするための断面半円状のガイド部を設けている。
【００２９】
吸込口８からＩＨクッキングヒーター３１の調理部３３周辺の汚染空気１１の一部を吸込んでファン６により空気流１２を発生させ、吹出口９から吹出すときに、閉塞部１０を設けることにより、閉塞部１０の上方では空気流１２がないために負圧域となり、周囲の汚染空気１１を誘引する作用を増大させることができるのである。
この誘引作用の増大によりＩＨクッキングヒーター３１の調理部３３周辺の汚染空気１１の一部を誘引する作用が良好となり、汚染空気１１の室外への排気を良好に行えるのである。
【００３０】
空気流誘導部材３は、吹出口９から吹出した空気流１２を面状部のコアンダ効果により上方に導くようにしており、図５及び図６に示すようにケーシング２の後面に連続する空気流誘導部材３から突出する一対のガイド部材１３を吹出口９から下流側に向けて設けており、一対のガイド部材１３の幅を吹出口９から下流側に向けて先細状に形成して、吹出口９から吹出される空気流１２及び誘引された汚染空気１１を左右方向の拡散を防止して排気装置４７の排気口４２に導くようにしている。
空気流誘導部材３の上端には一対のガイド部材１３の幅方向全体に断面翼型で前方に膨出する膨出部１４を設けて、吹出口９から吹出された空気流１２及び誘引されたＩＨクッキングヒーター３１の汚染空気１１をコアンダ効果により空気流誘導部材３を上昇させ、空気誘導部材３の上端から延長壁面板２１に案内するようにしている。
【００３１】
延長壁面板２１は、図２及び図４に示すように、空気流誘導部材３の上端に支持軸２２を備えた支持部２３を設けて、延長壁面板２１の下端部を回動可能に支持固定している。
また、延長壁面板２１の両側部には支持部２３の支持軸２２に係合する係合溝２４を設けて、図４の状態から図３の状態に延長壁面板２１をスライドして空気流誘導部材３及びケーシング２の上部の後面に重ね合せることが可能なスライド収納手段２５を形成している。
【００３２】
以上のように構成した本発明の第一の実施の形態に係る排気誘引装置１の作用について以下に説明する。
ＩＨクッキングヒーター３１に設けられているＩＨヒーター、ラジエントヒーター及びグリルのいずれかを使用して調理をする場合、図２に示すように排気誘引装置１を立設させ、ＩＨクッキングヒーター３１の電源スイッチをＯＮにし、さらに、排気誘引装置１の電動機７を駆動しファン６を作動させる。
【００３３】
ケーシング２の前面側の底面中央部に設けられた吸込口８からＩＨクッキングヒーター３１の調理部３３周辺の汚染空気１１の一部がファン６によりケーシング２内に吸込まれて吹出口１１から空気流１２として吹出される。
【００３４】
そして、空気流１２によりＩＨクッキングヒーター３１からの汚染空気１１を誘引して空気流誘導部材３及び延長壁面板２１のコアンダ効果により上方に誘導し、排気装置４７の排気口４２に導き、室外に排気するのである。
汚染空気１１を室外に排気する際に、吹出口９はその一部が閉塞部１０で閉塞されているから、閉塞部１０の上方近傍に負圧域が形成され、この負圧域により汚染空気１１の誘引を良好にでき、汚染空気１１の室外への排気を良好にできるのである。
【００３５】
以上の第一の実施の形態では、ＩＨクッキングヒーター３１から排出される汚染空気１１を誘引して上方の排気装置４７の排気口４２に導いて室外に排気する例について説明したが、本発明は、ＩＨクッキングヒーターから排出される汚染空気に限らず、ガスコンロ、その他の各種機器からから排出される汚染空気に適用してもよい。
また、第一の実施の形態では、排気装置４７の排気口４２を上方に設けて汚染空気１１を上方の排気口４２に導く例を示したが、排気装置の排気口と汚染空気との上下方向の位置関係は特に限定されず、上下方向が逆になっていても、同じ高さ位置でもよい。
【００３６】
さらに、第一の実施の形態では、ケーシング２にファン６及び電動機７を内装したが、これらを内装することに代え、ダクトの端部に設けた吹出口から吹出した空気流を面状部のコアンダ効果により排気装置の排気口に導く空気流誘導部材を備えるようにし、吹出口には吹出口の長手方向の一部を塞ぐ閉塞部を設けて室内の汚染空気に対する誘引作用を増大させようにしてもよい。
また、延長壁面板２１を設け、さらに、スライド収納手段２５を備えているが、スライド収納手段２５は無くてもよく、延長壁面板２１も無くてもよい。
【００３７】
また、第一の実施の形態では、空気流誘導部材３には、一対のガイド部材１３を設けているが、ガイド部材１３は無くてもよい。この場合、ガイド部材１３の左右外方は吹出口９の厚みと同じ厚みの中空ケーシングから、図６に示す前方側の板材１５を取り除いて平板状の空気流誘導部材とすることができる。さらに、平板状の空気流誘導部材にして、ガイド部材を板金加工により一体に形成することもできる。
【００３８】
さらに、第一の実施の形態では、吹出口９を長方形とし、長手方向が短方向の１０倍で、閉鎖部が長手方向の１／３で、閉鎖部を長手方向の中央に設けているが、吹出口を長方形とする場合、長手方向が短方向の８倍から２０倍で、閉塞部を長手方向の２０％から４０％にすることにより汚染空気の誘引作用の増大を良好に行なえる。
また、長手方向が短方向に比べて非常に大きい場合、例えば２０倍を超える場合には、閉塞部を複数設けることにより、汚染空気の誘引作用の増大をさらに良好にすることができる。
【００３９】
次に、本発明の第二の実施の形態に係る排気誘引装置について、図７〜図１０に基づき説明する。
図７は排気誘引装置の概略を示す正面図、図８は図７における排気誘引装置に係る部分の拡大図、図９は図８の平面図、図１０は図８におけるＣ−Ｃ断面図である。
【００４０】
図７において、５１は、非喫煙者の受動喫煙防止のため喫煙スペース７１を設けてその喫煙スペース７１の中央部に立設した排気誘引装置である。
喫煙スペース７１は、仕切壁７２、床７３、天井７４で囲まれた直方体の空間であり、正面の仕切壁７２に喫煙者の出入口７５が設けられている。
【００４１】
出入口７５の上方の天井７４に設けた給気口７６から給気流７７を下方に吹出してエアーカーテンを形成し、喫煙スペース７１で発生するタバコの煙、悪臭などの汚染空気６７が喫煙スペース７１外に流出することを防止している。
排気誘引装置５１の直上の天井７４には、排気装置７８の排気口７９を設けている。なお、８０は排気ファン、８１は排気ダクト、８２は排気チャンバー、８３は給気装置、８４は給気ファン、８５は給気ダクト、８６は給気チャンバーである。
【００４２】
次に、図８〜図１０に基づき、第二の実施の形態に係る排気誘引装置５１について説明する。
排気誘引装置５１は、下方から順に円筒状のスタンド５２、４本の小径のパイプ５３、ケーシング５４、円筒状の空気流誘導部材５５を備えており、これらはいずれもステンレススチール製である。
【００４３】
スタンド５２は、喫煙スペース７１の床７３の中央部に固定しており、スタンド７１の上部に４本の小径のパイプ５３を立設している。
パイプ５３の上部にケーシング５４を固定しており、ケーシング５４は下部円筒状部５６と下部円筒状部５６から先細状となる先細状部５７と先細状部５７の上端に連続する上部円筒状部５８とから構成し、下部円筒状部５６内に軸流式のファン５９及び電動機６０を内装している。
【００４４】
空気流誘導部材５５は先細状部５７と上部円筒状部５８の内面に、図１０に示す十文字状の支持板６１で支持して、空気流誘導部材５５と上部円筒状部５８の上端との間に円環状の吹出口６２を形成している。
そして、吹出口６２には、吹出口６２の一部を塞ぐ閉塞部６３を４個設けている。閉塞部６３は図８に示すように下方に突出するガイド部を備えている。
【００４５】
４本のパイプ５３のうちの一つには、スタンド５２の下端の切欠き部（図示せず）からスタンド５２の中心を通って電動機６０に給電する電源コード（図示せず）を通しており、パイプ５３，５３間に吸込口６４を形成している。
また、円筒状の空気流誘導部材５５の下端は先細状部５７内で半球面部６５に形成しており、支持板６１は半球面部６５に合致するようにしている。
【００４６】
円筒状の空気流誘導部材５５は、吹出口６２から吹出した空気流６６により喫煙スペース７１の汚染空気６７を誘引して汚染空気６７を含む空気流６６を空気流誘導部材５５の円筒状の面状部のコアンダ効果により上方に導くのであり、吹出口６２に閉塞部６３を設けることにより、閉塞部６３の上方では空気流６６がないために負圧域となり、周囲の汚染空気６７を誘引する作用を増大させることができるのである。
【００４７】
以上のように構成した本発明の第二の実施の形態に係る排気誘引装置５１の作用について以下に説明する。
喫煙者が喫煙スペース７１で喫煙により汚染空気６７を排出すると、排気誘引装置５１は吸込口６４から汚染空気６７の一部をファン５９により吸込んで吹出口６２から空気流６６として吹出すのである。
【００４８】
そして、空気流６６により汚染空気６７を誘引して空気流誘導部材５５のコアンダ効果により上方に誘導し、排気装置７８の排気口７９に導き、室外に排気するのである。
汚染空気６７を空気流６６により誘引して室外に排気する際に、吹出口６２は閉塞部６３でその一部が閉塞されているから、閉塞部６３の上方近傍に負圧域が形成され、この負圧域により汚染空気６７の誘引を良好にでき、汚染空気６７の室外への排気を良好にできるのである。
【００４９】
以上の第二の実施の形態では、排気誘引装置５１を喫煙スペース７１に設置した例について説明したが、本発明は、喫煙スペースの汚染空気に代えて汚染空気が排出されるスペースの中央部に設置して、排気誘引装置の周囲から汚染空気を誘引して室外に排気することが必要な各種の用途に適用することができる。
【００５０】
また、第二の実施の形態では、吹出口６２を円環状としたが、多角環状例えば四角環状〜八角環状にすることもできる。また、環状を形成する外側と内側の一方を円とし、他方を多角形としてもよい。
これらの場合、空気流誘導部材５５は、環状を形成する内側の形状と同じ形状として、環状の吹出口を形成するのである。
【００５１】
さらに、第二の実施の形態では、閉塞部６３を二つの円弧と平行な直線で囲まれた形状としているが、二つの円弧と二つの半径方向の直線で囲まれた形状としてもよい。
また、閉塞部６３を４個としているが、例えば３から１０としてもよい。吹出口の大きさは、例えば、吹出口を円環状とした場合、円環状の半径方向寸法を円環状外側半径の１０％から６０％とし、閉塞部と開口部との円周方向寸法の比を２対１から１対２とすればよく、多角環状の場合、円環状に準じて大きさを採用すればよい。
【図面の簡単な説明】
【００５２】
【図１】本発明の第一の実施の形態に係る排気誘引装置の概略を示す側面図。
【図２】図１における排気誘引装置に係る部分の拡大図。
【図３】延長壁面板をスライドして収納した状態を示す側面図。
【図４】図２の排気誘引装置を直立させた図。
【図５】図４におけるＡ矢視図。
【図６】図５におけるＢ−Ｂ断面図。
【図７】本発明の第二の実施の形態に係る排気誘引装置の概略を示す正面図。
【図８】図７における排気誘引装置に係る部分の拡大図。
【図９】図８の平面図。
【図１０】図８におけるＣ−Ｃ断面図。
【図１１】従来の局所換気装置を示す正面図。
【図１２】図１１のＹ線断面図
【図１３】従来の他の局所換気装置を示す正面図。
【符号の説明】
【００５３】
１      排気誘引装置
２      ケーシング
３      空気流誘導部材
６      ファン
８      吸込口
９      吹出口
１０    閉塞部
１１    汚染空気
１２    空気流
１３    ガイド部材
４２    排気口
４７    排気装置
５１    排気誘引装置
５４    ケーシング
５５    空気流誘導部材
５９    ファン
６２    吹出口
６４    閉塞部
６６    空気流
６７    汚染空気
７８    排気装置
７９    排気口
【図１】
2007298222.tif 000003
【図２】
2007298222.tif 000004
【図３】
2007298222.tif 000005
【図４】
2007298222.tif 000006
【図５】
2007298222.tif 000007
【図６】
2007298222.tif 000008
【図７】
2007298222.tif 000009
【図８】
2007298222.tif 000010
【図９】
2007298222.tif 000011
【図１０】
2007298222.tif 000012
【図１１】
2007298222.tif 000013
【図１２】
2007298222.tif 000014
【図１３】
2007298222.tif 000015